(57)【要約】      （修正有）【課題】冷媒の流通を確実に精度良く制御することができる冷媒圧力計を提供する。【解決手段】冷媒圧力計は、本体１、少なくとも１つの制御弁組立体２、少なくとも１つの圧力計本体及び少なくとも１つの管体を含む。少なくとも１つの圧力計本体は本体に設けられる。少なくとも１つの管体は本体に設けられる。少なくとも１つの制御弁組立体は移動弁体２１、遮断部材２３及び少なくとも１つのシール部材２２を含み、移動弁体は本体に移動可能に設けられ、遮断部材は移動弁体に設けられ、少なくとも１つのシール部材は移動弁体に設けられ、移動弁体の硬度は遮断部材の硬度よりも大きい。【選択図】図２
0003230056.tif 000002
【実用新案登録請求の範囲】
【請求項１】
冷媒圧力計であって、
主通路、少なくとも１つの第１通路、少なくとも１つの第２通路、少なくとも１つの第３通路、少なくとも１つの第１連通孔、少なくとも１つの第２連通孔及び少なくとも１つの第３連通孔を含み、前記少なくとも１つの第１通路が前記少なくとも１つの第１連通孔と前記主通路とを連通し、前記少なくとも１つの第２通路が前記少なくとも１つの第２連通孔と前記少なくとも１つの第１連通孔とを連通し、前記少なくとも１つの第３通路が前記少なくとも１つの第３連通孔と前記少なくとも１つの第１連通孔とを連通する、本体と
前記少なくとも１つの第２連通孔に接続され、前記少なくとも１つの第２連通孔の内部圧力を表示する、少なくとも１つの圧力計本体と、
前記少なくとも１つの第３連通孔に連通して接続されて冷媒管路に連通する、少なくとも１つの管体と、
移動弁体、遮断部材及び少なくとも１つのシール部材を含み、前記移動弁体が前記第１連通孔に収容されて前記第１連通孔に沿って開位置と閉位置とに移動可能であり、前記遮断部材が前記移動弁体に位置決めされて前記第１通路の開口に面し、前記遮断部材の断面積が前記第１通路の開口断面積よりも大きく、前記少なくとも１つのシール部材が前記移動弁体に設けられて前記第１連通孔の孔壁に当接し、前記移動弁体の硬度が前記遮断部材の硬度よりも大きく、前記移動弁体が前記開位置に位置する時、前記遮断部材が前記第１通路の開口を遮蔽しておらず、前記第２通路及び前記第３通路がそれぞれ前記第１連通孔を介して前記第１通路に連通し、前記移動弁体が前記閉位置に位置する時、前記遮断部材が前記第１通路の開口を遮蔽し、前記第２通路及び前記第３通路がいずれも前記第１通路に連通しない、少なくとも１つの制御弁組立体と、
を含む冷媒圧力計。
【請求項２】
前記移動弁体は金属材質で作製され、前記遮断部材はテフロン（登録商標）材質で作製される、請求項１に記載の冷媒圧力計。
【請求項３】
前記遮断部材の一部は前記移動弁体に収容設定されて位置決めされ、前記遮断部材の他の一部は前記移動弁体からから突出する、請求項１に記載の冷媒圧力計。
【請求項４】
前記少なくとも１つの制御弁組立体は基体及び回転ロッドをさらに含み、前記基体は前記第１連通孔に接続されて位置決めされ、前記回転ロッドは移動可能に前記基体に螺着されて挿通されて前記移動弁体に連結され、さらに前記回転ロッドと前記移動弁体とは同じ移動関係にある、請求項３に記載の冷媒圧力計。
【請求項５】
前記回転ロッドの一端には外部から把持して回動させるための操作部が設けられ、前記回転ロッドの他端には第１連結部が設けられ、前記移動弁体には第２連結部がさらに設けられ、前記第１連結部は前記第１連通孔に入り込で前記第２連結部に互いに嵌合連結される、請求項４に記載の冷媒圧力計。
【請求項６】
前記第１連結部と前記第２連結部のうちの一方は互いに接続されたくびれ部と膨出部を含み、他方は収容溝と２つの挟持部を含み、前記収容溝は自身の延在方向に貫通状態になって外部に連通し、前記２つの挟持部は、それぞれ前記収容溝の両側に設けられ、前記２つの挟持部は前記収容溝に連通する挟持口を共同で画定し、前記挟持口は自身の延在方向に貫通状態になり、前記膨出部は前記収容溝に摺設され、前記くびれ部は前記挟持口に摺設され、前記２つの挟持部と前記膨出部とは前記収容溝の延在方向に垂直である方向において互いに干渉しない、請求項５に記載の冷媒圧力計。
【請求項７】
前記収容溝の幅は前記膨出部の幅よりも大きく、前記挟持口の幅は前記くびれ部の幅よりも大きく、前記第１連結部と前記第２連結部とは相対回動可能に同じ移動関係にある、請求項６に記載の冷媒圧力計。
【請求項８】
前記基体は基台及び挿入部を含み、前記基台は前記本体の外面に押し当てられ、前記挿入部は前記第１連通孔に挿入されて前記第１連通孔の孔壁に螺着され、前記挿入部は収容空間を囲んでなり、前記第１連結部が前記収容空間に完全に収容設定される時、前記移動弁体は前記開位置に位置し、且つ前記第１連通孔に連通する前記第２通路の開口及び前記第３通路の開口が完全に遮蔽されない、請求項５に記載の冷媒圧力計。
【請求項９】
前記第１通路の口縁にはボス部が突設され、前記ボス部は前記第１通路の延在方向に沿って延びて前記第１連通孔内に位置し、前記ボス部は前記遮断部材に選択的に当接する、請求項１〜８のいずれか１項に記載の冷媒圧力計。
【請求項１０】
前記移動弁体は金属材質で作製され、前記遮断部材はテフロン（登録商標）材質で作製され、
前記基体は基台及び挿入部を含み、前記基台は前記本体の外面に押し当てられ、前記挿入部は前記第１連通孔に挿入されて前記第１連通孔の孔壁に螺着され、前記挿入部は収容空間を囲んでなり、前記第１連結部が前記収容空間に完全に収容設定される時、前記移動弁体は前記開位置に位置し、且つ前記第１連通孔に連通する前記第２通路の開口及び前記第３通路の開口が完全に遮蔽されず、
前記第１通路の口縁にはボス部が突設され、前記ボス部は前記第１通路の延在方向に沿って延びて前記第１連通孔内に位置し、前記ボス部は前記遮断部材に選択的に当接し、
前記少なくとも１つの第１通路の数、前記少なくとも１つの第２通路の数、前記少なくとも１つの第３通路の数、前記少なくとも１つの第１連通孔の数、前記少なくとも１つの第２連通孔の数、前記少なくとも１つの第３連通孔の数、前記少なくとも１つの制御弁組立体の数は、それぞれ２つであり、
前記第１連通孔は前記第１通路と同軸に配置され、前記第２連通孔は前記第２通路と同軸に配置され、前記第３連通孔は前記第３通路と同軸に配置され、
前記第１連通孔は前記主通路に垂直であり、前記第２連通孔と前記第３連通孔とは同一直線になるように前記第１連通孔の両側に垂直に配置され、
前記第１連結部は前記収容溝及び前記２つの挟持部を含み、前記第２連結部は前記くびれ部及び前記膨出部を含み、前記２つの挟持部は対称的に配置され、且つそれぞれ同一水平面に位置する端面を有し、前記第１連結部が前記収容空間に完全に収容設定される時、前記２つの挟持部の端面は前記挿入部の開口と面一である、請求項７に記載の冷媒圧力計。
【考案の詳細な説明】
【技術分野】
【０００１】
本考案は冷媒圧力計に関する。
【背景技術】
【０００２】
空調冷媒システムは、暑い環境において恒温、涼しい環境を提供することができ、特に、建物、車両移動装置によく見られ、そのため、空調冷媒システムは、現在生活の中で不可欠なものとなっている。理解されるように、空調冷媒システムは、故障が避けられない場合があり、この時、例えば漏れの検出、冷媒充填等の修理を行う必要がある。
【０００３】
理解されるように、上記の冷媒システムに関連する修理点検作業は、いずれも冷媒圧力計と組み合わせて使用する必要があり、それにより使用者が管路の内部圧力を知ることができ、且つ弁体及び外部圧力を制御することによって冷媒の流通を変えることができる。このように、冷媒圧力計は、修理点検に対する重要性を有しているので、より使用者を補助するために新規かつ進歩性のある冷媒圧力計を提供する必要がある。
【考案の概要】
【考案が解決しようとする課題】
【０００４】
本考案の主な目的は、弁組立体の移動を制御することにより、通路における冷媒の流通を確実に精度良く制御することができる冷媒圧力計を提供することである。
【課題を解決するための手段】
【０００５】
上記目的を達成するために、本考案は冷媒圧力計を提供し、本体、少なくとも１つの制御弁組立体、少なくとも１つの圧力計本体及び少なくとも１つの管体を含む。該本体は主通路、少なくとも１つの第１通路、少なくとも１つの第２通路、少なくとも１つの第３通路、少なくとも１つの第１連通孔、少なくとも１つの第２連通孔及び少なくとも１つの第３連通孔を含み、該少なくとも１つの第１通路は該少なくとも１つの第１連通孔と該主通路とを連通し、該少なくとも１つの第２通路は該少なくとも１つの第２連通孔と該少なくとも１つの第１連通孔とを連通し、該少なくとも１つの第３通路は該少なくとも１つの第３連通孔と該少なくとも１つの第１連通孔とを連通する。該少なくとも１つの圧力計本体は該少なくとも１つの第２連通孔に接続され、該少なくとも１つの第２連通孔の内部圧力を表示する。該少なくとも１つの管体は該少なくとも１つの第３連通孔に連通して接続され、冷媒管路に連通する。該少なくとも１つの制御弁組立体は、移動弁体、遮断部材及び少なくとも１つのシール部材を含み、該移動弁体は、該第１連通孔に収容されて該第１連通孔に沿って開位置と閉位置とに移動可能であり、該遮断部材は該移動弁体に位置決めされて該第１通路の開口に面し、該遮断部材の断面積は該第１通路の開口断面積よりも大きく、該少なくとも１つのシール部材は該移動弁体に設けられて該第１連通孔の孔壁に当接し、該移動弁体の硬度は該遮断部材の硬度よりも大きく、該移動弁体が該開位置に位置する時、該遮断部材は該第１通路の開口を遮蔽しておらず、該第２通路及び該第３通路はそれぞれ該第１連通孔を介して該第１通路に連通し、該移動弁体が該閉位置に位置する時、該遮断部材は該第１通路の開口を遮蔽し、該第２通路及び該第３通路はいずれも該第１通路に連通しない。
【図面の簡単な説明】
【０００６】
【図１】本考案の一実施例の斜視図である。
【図２】本考案の一実施例の分解図である。
【図３】本考案の一実施例の断面図である。
【図４】図３の部分拡大図である。
【図５】本考案の一実施例の別の断面図である。
【図６】本考案の一実施例の使用状態図である。
【考案を実施するための形態】
【０００７】
以下、実施例を用いて本考案の可能な実施形態を説明するが、本考案の保護範囲を制限するものではないことを事前に説明する。
【０００８】
図１〜図６を参照し、本考案の一実施例が示されており、本考案の冷媒圧力計は、本体１、少なくとも１つの制御弁組立体２、少なくとも１つの圧力計本体５及び少なくとも１つの管体６を含む。
【０００９】
該本体１は、主通路１１、少なくとも１つの第１通路１２、少なくとも１つの第２通路１３、少なくとも１つの第３通路１４、少なくとも１つの第１連通孔１５、少なくとも１つの第２連通孔１６及び少なくとも１つの第３連通孔１７を含み、該少なくとも１つの第１通路１２は該少なくとも１つの第１連通孔１５と該主通路１１とを連通し、該少なくとも１つの第２通路１３は該少なくとも１つの第２連通孔１６と該少なくとも１つの第１連通孔１５とを連通し、該少なくとも１つの第３通路１４は該少なくとも１つの第３連通孔１７と該少なくとも１つの第１連通孔１５とを連通する。該少なくとも１つの圧力計本体５は該少なくとも１つの第２連通孔１６に接続され、該少なくとも１つの圧力計本体５は該少なくとも１つの第２連通孔１６の内部圧力を表示する。該少なくとも１つの管体６は該少なくとも１つの第３連通孔１７に連通して接続されて冷媒管路７に連通し、それにより冷媒が該本体１を流れるように案内する。
【００１０】
該少なくとも１つの制御弁組立体２は、移動弁体２１、遮断部材２３及び少なくとも１つのシール部材２２を含み、該移動弁体２１は、該第１連通孔１５に収容されて該第１連通孔１５に沿って開位置と閉位置とに移動可能であり、該遮断部材２３は、該移動弁体２１に位置決めされて該第１通路１２の開口に面し、該遮断部材２３の断面積は該第１通路１２の開口断面積よりも大きく、該少なくとも１つのシール部材２２は、該移動弁体２１に設けられて該第１連通孔１５の孔壁に当接し、それにより冷媒の漏れを防止する目的を達成する。ここで、該移動弁体２１が該開位置に位置する時、該遮断部材２３は該第１通路１２の開口を遮蔽しておらず、該第２通路１３及び該第３通路１４は、それぞれ該第１連通孔１５を介して該第１通路１２に連通し、該移動弁体２１が該閉位置に位置する時、該遮断部材２３は該第１通路１２の開口を遮蔽し、該第２通路１３及び該第３通路１４はいずれも該第１通路１２に連通しない。言い換えれば、該移動弁体２１の移動を制御することにより、該第１連通孔１５、該第２連通孔１６、該第３連通孔１７と該主通路１１との連通関係を効果的に制御することができ、それにより該本体１内における冷媒の流れを制御することができる。
【００１１】
本実施例では、該少なくとも１つの第１通路１２の数、該少なくとも１つの第２通路１３の数、該少なくとも１つの第３通路１４の数、該少なくとも１つの第１連通孔１５の数、該少なくとも１つの第２連通孔１６の数、該少なくとも１つの第３連通孔１７の数、該少なくとも１つの制御弁組立体２の数は、それぞれ２つである。且つ、該第１連通孔１５は該第１通路１２と同軸に配置され、該第２連通孔１６は該第２通路１３と同軸に配置され、該第３連通孔１７は該第３通路１４と同軸に配置され、それにより加工と製造を容易にする。また、該第１連通孔１５は該主通路１１に垂直であり、該第２連通孔１６と該第３連通孔１７とは同一直線になるように該第１連通孔１５の両側に垂直に配置され、加工や位置計画を容易にすることに加えて、該移動弁体２１が該第２通路１３と該第３通路１４の開口断面積を同期的に制御し、さらに冷媒が流入する流量を同期的に制御することできる。
【００１２】
なお、該移動弁体２１の硬度は該遮断部材２３の硬度よりも大きく、それによりベースとしての該移動弁体２１は該遮断部材２３に安定した支持力を提供することができ、該遮断部材２３が該第１通路１２の開口を確実且つ密着に遮断することができる。該遮断部材２３が比較的軟質であることを選択する意図は、貼り合わせ面の輪郭の起伏に追従して変化して調整することができ、それにより確実にシールする目的を達成する。例示されないが、限定することではなく、該移動弁体２１は金属材質で作製され、該遮断部材２３はテフロン（登録商標）材質で作製され、そのうち、テフロン（登録商標）材質は、耐高温、耐低温、耐食性、良好な靭性等の多くの利点を有し、該第１通路１２の開口を遮蔽するのに非常に適する。
【００１３】
好ましくは、該第１通路１２の口縁にはボス部１８が突設され、該ボス部１８は該第１通路１２の延在方向に沿って延びて該第１連通孔１５内に位置し、該遮断部材２３に選択的に当接する。そのうち、該遮断部材２３と該ボス部１８とは相互に接触する面積が小さくて応力集中を発生させ、それにより該ボス部１８が該遮断部材２３に嵌め込まれて確実にシールする目的を達成できる。
【００１４】
本実施例では、該遮断部材２３の一部は該移動弁体２１に収容設定されて位置決めされ、該遮断部材２３の他の一部は該移動弁体２１から突出し、それにより該遮断部材２３は該移動弁体２１に追従して安定的に移動することができ、且つ該遮断部材２３が該移動弁体２１から突出する部分は、該第１通路１２の開口を遮蔽するように、より多くの変形の余裕の空間を有することができる。
【００１５】
それぞれの該制御弁組立体２は基体２４及び回転ロッド２５をさらに含み、該基体２４は該第１連通孔１５に接続されて位置決めされ、該回転ロッド２５は移動可能に該基体２４に螺着されて挿通されて該移動弁体２１に連結され、さらに該回転ロッド２５と該移動弁体２１とは同じ移動関係にある。言い換えれば、使用者は、回動することにより該移動弁体２１が該第１連通孔１５に直線的に移動する位置を制御することができ、且つ無段階で連続的に調整する利点を有する。該回転ロッド２５の一端には外部から把持して回動させるための操作部２６が設けられ、該回転ロッド２５の他端には第１連結部３が設けられ、該移動弁体２１には第２連結部４がさらに設けられ、該第１連結部３は、該第１連通孔１５に入り込で該第２連結部４に互いに嵌合連結される。
【００１６】
より具体的には、該基体２４は基台２４１及び挿入部２４２を含み、該基台２４１は該本体１の外面に押し当てられ、該挿入部２４２は、該第１連通孔１５に挿入されて該第１連通孔１５の孔壁に螺着され、該挿入部２４２は収容空間２４３を囲んでなり、該第１連結部３が該収容空間２４３に完全に収容設定される時、該移動弁体２１は該開位置に位置し、且つ該第１連通孔１５に連通する該第２通路１３の開口及び該第３通路１４の開口は、完全に遮蔽されず、最大の流量を有する。
【００１７】
より具体的には、該第１連結部３と該第２連結部４のうちの一方は互いに接続されたくびれ部４１と膨出部４２を含み、他方は収容溝３１と２つの挟持部３２を含み、該収容溝３１は自身の延在方向に貫通状態になって外部に連通し、該２つの挟持部３２は、それぞれ該収容溝３１の両側に設けられ、該２つの挟持部３２は、該収容溝３１に連通する挟持口３３を共同で画定し、該挟持口３３は自身の延在方向に貫通状態になる。そのうち、該第１連結部３と該第２連結部４とが互いに結合される方式については、該膨出部４２が該収容溝３１に側方から嵌入され、同時に該くびれ部４１も該挟持口３３に側方から嵌入され、さらに該膨出部４２が該収容溝３１に摺設され、該くびれ部４１が該挟持口３３に摺設され、且つ該２つの挟持部３２と該膨出部４２とが該収容溝３１の延在方向に垂直である方向において互いに干渉しない。
【００１８】
本実施例では、該第１連結部３は、該収容溝３１及び該２つの挟持部３２を含み、該第２連結部４は、該くびれ部４１及び該膨出部４２を含み、該２つの挟持部３２は対称的に配置され、且つそれぞれ同一水平面に位置する端面３４を有し、該第１連結部３が該収容空間２４３に完全に収容設定される時、該２つの挟持部３２の端面３４は該挿入部２４２の開口と面一である。且つ、該収容溝３１の幅は該膨出部４２の幅よりも大きく、該挟持口３３の幅は該くびれ部４１の幅よりも大きく、このように、該第１連結部３と該第２連結部４とは相対回動可能に同じ移動関係にあり、該移動弁体２１は直線移動のみを行って回動しない。
【符号の説明】
【００１９】
１    本体
１１    主通路
１２    第１通路
１３    第２通路
１４    第３通路
１５    第１連通孔
１６    第２連通孔
１７    第３連通孔
１８    ボス部
２    制御弁組立体
２１    移動弁体
２２    シール部材
２３    遮断部材
２４    基体
２４１    基台
２４２    挿入部
２４３    収容空間
２５    回転ロッド
２６    操作部
３    第１連結部
３１    収容溝
３２    挟持部
３３    挟持口
３４    端面
４    第２連結部
４１    くびれ部
４２    膨出部
５    圧力計本体
６    管体
７    冷媒管路
【図１】
0003230056.tif 000003
【図２】
0003230056.tif 000004
【図３】
0003230056.tif 000005
【図４】
0003230056.tif 000006
【図５】
0003230056.tif 000007
【図６】
0003230056.tif 000008